(57)【要約】【課題】液晶表示スクリーン上のカメラモジュールを後方に１８０〜１９０度回転させることができ、通話者が通話時に通話相手のスクリーンに表示される否かを選択することができるようにすること。【解決手段】前部エンクロージャ７と後部エンクロージャ６の上部の切欠き８，９がカメラ１を収容するための凹部を形成し、凹部の両側にはカメラ１の両側の回転軸に対応して軸穴１０が設けられ、軸穴１０の一方の内側には停止部材１２が設けられると共に、軸穴１０内の回転軸５の端部には停止部材１２に対応して制限ブロック１１が設けられ、カメラ１は軸穴１０を中心として前後方向に回転させることができ、停止部材１２によって回転を妨げることができる。カメラ１は前後方向に１９０度以内で回転させることができ、制限ブロック１１と停止部材１２が過度の回転を防止するために設けられている。【選択図】図４
0003121288.tif 000002
【実用新案登録請求の範囲】
【請求項１】
カメラ付き液晶表示スクリーンであって、表示スクリーンを構成する前部エンクロージャと後部エンクロージャとを含み、前記カメラは前記前部及び後部エンクロージャの上部に配置されており、前記カメラの両側には回転軸が設けられ、前記前部エンクロージャと前記後部エンクロージャは上部に切欠きを有し、前記前部エンクロージャと前記後部エンクロージャを係合させた場合に、前記前部エンクロージャと前記後部エンクロージャの上部の前記切欠きが前記カメラを収容するための凹部を形成し、前記凹部の両側には前記カメラの両側の前記回転軸に対応して軸穴が設けられ、前記軸穴の一方の内側には停止部材が設けられると共に、前記軸穴内の前記回転軸の端部には前記停止部材に対応して制限ブロックが設けられ、前記カメラは前記軸穴を中心として前後方向に回転させることができ、前記停止部材によって回転を妨げることができることを特徴とするカメラ付き液晶表示スクリーン。
【請求項２】
請求項１において、前記カメラの両側の軸穴にゴムリングが取り付けられていることを特徴とするカメラ付き液晶表示スクリーン。
【請求項３】
請求項１または２において、前記カメラの形状がドラム状であり、複数の小さなフランジが表面に設けられていることを特徴とするカメラ付き液晶表示スクリーン。
【請求項４】
請求項１または２において、前記カメラの前記回転軸の一方が中空軸であることを特徴とするカメラ付き液晶表示スクリーン。
【考案の詳細な説明】
【技術分野】
【０００１】
本考案は、液晶表示スクリーン、特にテレビ電話のためのカメラ付き液晶表示スクリーンに関し、より詳細には、カメラを液晶表示スクリーンに接続するための構造の改良に関する。
【背景技術】
【０００２】
従来技術には、表示スクリーンの上方にカメラを配置することによってテレビ通話を実現するテレビ電話の一種があり、カメラと表示スクリーンは以下の方法のいずれかによって接続されている。
【０００３】
第１の方法は、カメラモジュールを液晶表示スクリーンに埋め込む方法である。この場合、カメラは単独で回転させることはできず、回転が必要な場合にはカメラを液晶表示スクリーンと共に回転させなければならない。この接続方法の欠点は、より適切な位置での画像を通話相手に提供することができないということである。
【０００４】
第２の方法は図１に示す方法であり、カメラ１は液晶表示スクリーン３の上方に配置され、液晶表示スクリーン１のエンクロージャの上部に取り付けられた回転軸２に接続されている。この接続方法では回転角度が限られており（例えば、前後方向で１５度のみ）、カメラを後方に１８０度回転させることができない。その結果、ソフトウェアマスキングを行わない場合には、通話者は通話時に常に通話相手を見ることになる。
【考案の開示】
【考案が解決しようとする課題】
【０００５】
本考案の目的は、液晶表示スクリーン上のカメラモジュールを後方に１８０〜１９０度回転させることができ、通話者が通話時に通話相手のスクリーンに表示される否かを選択することができるカメラ付き液晶表示スクリーンを提供することにある。
【課題を解決するための手段】
【０００６】
本考案の技術的解決手段によれば、カメラ付き液晶表示スクリーンであって、表示スクリーンを構成する前部エンクロージャと後部エンクロージャとを含み、カメラは前部及び後部エンクロージャの上部に配置されており、カメラの両側には回転軸が設けられ、前部エンクロージャと後部エンクロージャは上部に切欠きを有し、前部エンクロージャと後部エンクロージャを係合させた場合に、前部エンクロージャと後部エンクロージャの上部の切欠きがカメラを収容するための凹部を形成し、凹部の両側にはカメラの両側の回転軸に対応して軸穴が設けられ、軸穴の一方の内側には停止部材が設けられると共に、軸穴内の回転軸の端部には停止部材に対応して制限ブロックが設けられ、カメラは軸穴を中心として前後方向に回転させることができ、停止部材によって回転を妨げることができることを特徴とするカメラ付き液晶表示スクリーンが提供される。
【考案の効果】
【０００７】
本考案は以下の利点を有する。すなわち、液晶表示スクリーンの上部のカメラが回転軸によってエンクロージャに回転式に接続されているため、カメラを軸穴を中心として前後方向に回転させることができると共に、過度の回転を防止するように制限ブロックと停止部材が設けられている。上述した接続構造を使用することによって、テレビ電話のカメラを後方に１８０度回転させることができ、通話者は通話相手のスクリーンに表示されるか否かを任意に選択することができる。
【考案を実施するための最良の形態】
【０００８】
図２、図３、図４に示すように、カメラ付き液晶表示スクリーンは、液晶表示スクリーン３を構成する前部エンクロージャ７と後部エンクロージャ６とを含み、カメラ１は前部及び後部エンクロージャ７，６の上部に配置され、カメラ１の両側には回転軸５が設けられ、前部エンクロージャ７と後部エンクロージャ６は上部に切欠き８，９を有し、前部エンクロージャ７と後部エンクロージャ６を係合させた場合に、前部エンクロージャ７と後部エンクロージャ６の上部の切欠き８，９がカメラ１を収容するための凹部を形成し、凹部の両側にはカメラの両側の回転軸５に対応して軸穴１０が設けられ、軸穴１０の一方の内側には停止部材１２が設けられると共に、軸穴１０内の回転軸５の端部には停止部材１２に対応して制限ブロック１１が設けられ、カメラ１は軸穴１０を中心として前後方向に回転させることができ、回転時に制限ブロック１１が停止部材１２によって妨げられて回転範囲が制限される。制限ブロック１１は、カメラ１が前後方向に１９０度（前方に１０度、後方に１８０度）回転することができるような大きさを有する。
【０００９】
カメラ１をスムーズに回転させることができるように、ゴムリング４を回転軸５に取り付けて摩擦力を増加させることができる。
【００１０】
上述したカメラ付き液晶表示スクリーンでは、カメラ１の形状はドラム状であり、カメラ１を容易に押し回すために複数の小さなフランジ１３が表面に設けられている。
【００１１】
上述したカメラ付き液晶表示スクリーンでは、カメラ１の回転軸５の一方は、ケーブルの接続のために設計された中空軸１４である。
【００１２】
本考案において提供される液晶表示スクリーンによれば、テレビ電話のカメラを後方に１８０度回転させることができ、通話者は通話時に通話相手のスクリーンに表示されるか否かを任意に選択することができる。
【００１３】
本考案は以下の利点を有する。すなわち、液晶表示スクリーンの上部のカメラが回転軸によってエンクロージャに回転式に接続されているため、カメラを軸穴を中心として前後方向に回転させることができると共に、過度の回転を防止するように制限ブロックと停止部材が設けられている。上述した接続構造を使用することによって、テレビ電話のカメラを後方に１８０度回転させることができ、通話者は通話相手のスクリーンに表示されるか否かを任意に選択することができる。
【図面の簡単な説明】
【００１４】
【図１】従来技術におけるカメラ付き液晶表示スクリーンの構造概略図である。
【図２】本考案に係るカメラ付き液晶表示スクリーンの構造概略図である。
【図３】図２に示すカメラ付き液晶表示スクリーンの分解構造概略図である。
【図４】図３に示すカメラ付き液晶表示スクリーンにおけるカメラと液晶表示スクリーンのエンクロージャとの接続構造の一部拡大概略図である。
【符号の説明】
【００１５】
１…カメラ、  ３…液晶表示スクリーン、  ４…ゴムリング、  ５…回転軸、  ６…後部エンクロージャ、  ７…前部エンクロージャ、  ８…切欠き、  ９…切欠き、  １０…軸穴、  １１…制限ブロック、  １２…停止部材、  １３…フランジ、  １４…中空軸
【図１】
0003121288.tif 000003
【図２】
0003121288.tif 000004
【図３】
0003121288.tif 000005
【図４】
0003121288.tif 000006